(57)【要約】発明の主題は圧力タンクであり、このタンクは、Ｘ、Ｙ、Ｚ軸において異なる長さを備える、特に拡張されたトロイダル型であり、１つ以上の接続カプラに接続された外殻を含み、タンク付属品のためのコネクタパイプと、タンク及びカバー固定のためのブラケットと、タンク付属品のカバーと、内側の外殻と、内側ジャケットと、仕切りと、を装備する、圧力タンクであって、外側の上方外殻（１）は、外側の下方外殻（２）と共に、丸い角を備えた長方形断面を有する外側のタンク外殻を形成し、その一方で、内側ジャケット（６Ａ、６Ｂ）は、内側の外殻（４Ａ、４Ｂ、５Ａ、５Ｂ）及び／又は外側の外殻（１、２）に接続され、有利には内側の外殻は中央管（７Ａ、７Ｂ、７Ｎ）に接続され、これによってタンクの中心カプラ（Ｌ１、Ｌ２）を形成し、有利には仕切り（１０）によって分離され、且つタンク付属品（９）のコネクタパイプは、コネクタパイプの外側壁の厚さが、タンク素子の厚さの０．４から１．８の間であるような方法で、タンク壁に溶接されることを特徴とする。【選択図】図１
2015518127.tif 000002
【特許請求の範囲】
【請求項１】
圧力タンクであって、この圧力タンクは、Ｘ、Ｙ、Ｚ軸において異なる長さを備える、特に拡張されたトロイダル型であり、１つ以上のカプラで一緒に接続された外殻を含み、タンク付属品のためのコネクタパイプと、前記タンク及びカバーを固定するためのブラケットと、タンク付属品のためのカバーと、内側の外殻と、内側ジャケットと、仕切りと、を装備する、圧力タンクであって、
外側の上方外殻（１）は、外側の下方外殻（２）と共に、丸い角を備えた長方形断面を有する前記タンクの外側の外殻を形成し、その一方で、内側ジャケット（６Ａ、６Ｂ）は、内側の外殻（４Ａ、４Ｂ、５Ａ、５Ｂ）に接続され、且つ／又は、外側の外殻（１、２）は、有利には中央管（７Ａ、７Ｂ、７Ｎ）に接続され、これによって、前記タンクの中心カプラ（Ｌ１、Ｌ２）は、有利には仕切り（１０）によって分離され、同時に、タンク付属品（９）のためのコネクタパイプは、パイプの外側壁の厚さが、タンク外殻の厚さの０．４から１．８に等しいような方法で、タンク外殻に溶接されることを特徴とする、
圧力タンク。
【請求項２】
１つ以上の中心カプラに接続される、外側の外殻である上方外殻（１）と下方外殻（２）との間に、内側の外殻（３）が溶接されることを特徴とする、請求項１に記載の圧力タンク。
【請求項３】
前記タンクの内側の外殻（４Ａ、４Ｂ、５Ａ、５Ｂ）、及び／又は内側ジャケット（６Ａ、６Ｂ）、及び／又は中央管（７Ａ、７Ｂ、７Ｎ）は、第２作業媒質（Ｂ）のための緊密なチャンバ、及び／又は第２媒質（Ｂ）を貯蔵するための圧力タンク又は容器のための空間を形成することを特徴とする、請求項１又は２に記載の圧力タンク。
【請求項４】
外側の外殻である上方外殻（１）と下方外殻（２）との間で、少なくとも１つの内側接続カプラ（Ｌ１、Ｌ２）が溶接されることを特徴とする、請求項１又は２に記載の圧力タンク。
【請求項５】
少なくとも１つの中心カプラ（Ｌ１、Ｌ２）は、上方カバー５Ｃ及び下方カバー４Ｃで緊密に塞がれ、それによって、前記第２作業媒質（Ｂ）の緊密なチャンバ（Ｄ１及び／又はＤ２及び／又はＤ３及び／又はＤ４）を形成することを特徴とする、請求項１又は２に記載の圧力タンク。
【請求項６】
１つ及び／又は２つの作業媒質（Ａ及びＢ）のための付属品を備える前記タンク設備は、外側の外殻（４Ａ、４Ｂ、５Ａ、５Ｂ）及び／又は内側ジャケット（６Ａ、６Ｂ）及び／又はカバー（４Ｃ、５Ｃ）に設置され、外側の上方外殻（１）及び下方外殻（２）、及び／又は外側ジャケット（３）によって画成される、前記タンクの外側表面の外形を制限することにおいて構成されることを特徴とする、請求項１又は２に記載の圧力タンク。
【請求項７】
前記タンクの内側壁を形成する素子、即ち、接続カプラ（Ｌ１及び／又はＬ２）の内側ジャケット（６Ａ及び／又は６Ｂ）及び／又は内側仕切り（１０）及び／又は内側の外殻（４Ａ、４Ｂ）において、カップ形状の孔部（８Ａ、８Ｂ）が存在し、これらは、壁厚さよりも大きな長さを備える経路を形成することを特徴とする、請求項１又は２に記載の圧力タンク。
【請求項８】
前記中央管（７Ｎ）は多層形態を有し、且ついくつかの一緒に固定された同軸管から成ることを特徴とする、請求項１又は２に記載の圧力タンク。
【請求項９】
固定された、又は着脱可能なタンク付属品（１１）の筐体は、タンク外殻湾曲の形状を有することを特徴とする、請求項１又は２に記載の圧力タンク。
【請求項１０】
シール（１２Ａ）を備えたカバー（１２）を装備するタンク付属品筐体（１１）は、ねじ及びクリップ（１３）によってタンク壁に固定され、且つシール（１１Ａ）によって封止されることを特徴とする、請求項８に記載の圧力タンク。
【請求項１１】
前記仕切り（１０）は、異なる形状及びサイズの孔部（１５Ａ及び１５Ｂ）を有し、且つ／又は、可動仕切り（１６）は、有利には異なる形状及びサイズの孔部を有することを特徴とする、請求項１又は２に記載の圧力タンク。
【請求項１２】
圧力タンクは、チャンバ間で最低水準を維持するためのシステムを装備し、このシステムは、前記タンクのチャンバを接続する、管又はホースとしての中間経路（１４）、及び／又は設定器（１４Ｂ）、及び／又は流量制御器（１４Ａ）から成ることを特徴とする、請求項１又は２に記載の圧力タンク。
【請求項１３】
圧力タンクは、タンク付属品を迅速に分解するためのシステムを装備し、このシステムは補助的チャンバ（１７）から成り、このチャンバは、少なくとも１つのコネクタパイプ（９）と、前記タンクから補助的チャンバ（１７）までの作業媒質のための遮断弁（１９）と、遮断弁（１９）のための制御器（１８）とを含むことを特徴とする、請求項１又は２に記載の圧力タンク。
【発明の詳細な説明】
【技術分野】
【０００１】
発明の主題は圧力タンクであり、このタンクは、特に拡張されたトロイダル型であり、液体及びそれらの混合物、空気はもちろんのこと、特に揮発性ガス及び液体圧力ガス用のものであり、一体型アセンブリ素子及び／又は独立アセンブリとしての、路上車両、鉄道車両、機械、静止装置及び可動装置に使用される。
【背景技術】
【０００２】
今までに知られた圧力タンクの設計は、（全ての軸において等しい長さを備える）トロイダルタンク、円筒タンク、補助素子によって結合された２つの円筒タンクのアセンブリである双対タンク、互いに貫通しあう外殻を備えた、同じ直径又は異なる直径を備えた２つの円筒タンクのアセンブリである二重タンク（デュオ）のような、対称的構造物を使用することに限られている。
【０００３】
特許文献１から知られるのは、液体ガス用の平坦なタンクであり、そこでは、接続された上方及び下方の２つの外殻が、中心で溶接された円錐形の上方及び下方フランジを有し、これらのフランジは、円周上で均等に割付けられた孔部に、管によって接続される。
【０００４】
特許文献２から更に知られるのは、ガス、特に液体プロパン−ブタン用のタンクであり、このタンクは、一緒に接続された、輪郭が描かれた下方外殻及び上方外殻と、やはり輪郭が描かれた中央管とから成り、その一方で、中央管は、２つの貫通孔及び２つの補助的な閉鎖外殻を有し、ここで外殻の１つは、コネクタパイプを有する。このタンクは、補助的外殻の１つにおいて、タンクの垂直軸にパイプを備えた弁があり、これが、外殻に関して正確に画成された高さを有するという点で特徴付けられる。
【０００５】
特許文献３及び４の記述から知られるのは、４つの外殻タンクであり、この４つの外殻タンクは、有利にはトロイダル型であり、一緒に接続された外殻を含み、タンク付属品のためのコネクタパイプ、タンク及びカバーの固定のためのブラケット、タンク付属品のカバー、孔部及び中央ブッシングを備えた中心カプラを装備し、この４つの外殻タンクが特徴付けられる点は、それが少なくとも４つの緊密に接続された外殻から成り、ここで、外側の上方外殻は、外側の下方外殻と共に、タンクの外側の外殻を形成し、その一方で、中央ブッシング及び、有利には孔部を備えた内側壁によって、内側の下方外殻に接続された内側の上方外殻は、カプラを形成し、補助的な作業空間を含む。
【先行技術文献】
【特許文献】
【０００６】
【特許文献１】国際公開第９８４６４４３号パンフレット
【特許文献２】ポーランド特許出願第Ｐ−３５４２９９号明細書
【特許文献３】ポーランド特許出願第Ｐ−３８４１３４号明細書
【特許文献４】国際公開第２００９０８２２５０号パンフレット
【発明の概要】
【発明が解決しようとする課題】
【０００７】
発明の目的は、広い用途、作業性、安全性、コスト等で有利な圧力タンクである、特に揮発性ガス及び液体圧力ガスのための、拡張されたトロイダルタンクを提供することである。
【課題を解決するための手段】
【０００８】
発明による圧力タンクは、Ｘ、Ｙ、Ｚ軸において異なる長さを備える、特に拡張されたトロイダル型であり、少なくとも１つのカプラによって接続された外殻を含み、タンク付属品のためのコネクタパイプ、タンク及びカバーの固定のためのブラケット、タンク付属品カバー、内側の外殻、内側壁、仕切りを装備する。
この圧力タンクが特徴付けられる点として、外側の上方外殻は、外側の下方外殻と共に、丸い角を備えた長方形断面を備えるタンク外側の外殻を形成し、その一方で、内側ジャケットは、内側の外殻及び／又は外側の外殻に接続され、有利には内側の外殻は中央管に接続され、それによって、タンクの内側カプラを形成し、有利には仕切りによって分離される。タンク付属品のコネクタパイプは、コネクタパイプの厚さが、タンク壁の厚さの０．４から１．８までとなるような方法で、タンク壁に溶接される。
【０００９】
タンクの内側ジャケットは、有利には継ぎ合された管又は継ぎ目のない管の形態を有するか、又は、金属シートを転がすことによるか、又はいくつかのシートを接続することによって形成されたブッシングか、又は、円錐又は円錐台か、若しくは、底部を備えた、又は底部を備えていない円筒（底部は平坦であっても、曲がっていてもよい）であることが可能である。
内側の外殻又は、内側ジャケット及び／又は仕切りのための外殻は、有利には異なる半径又は１つ以上の半径を備える球体部分、及び／又は、異なる基部半径及び頂部半径、及び側壁の異なる角度を備え、頂部が型押しされるか、又は溶接され、又は頂部が開放され、任意の表面によって閉じられない円錐台の形態を有し、且つ／又は、外殻が、平坦な又は形作られた底部を備える円筒の形態を有する。
【００１０】
発明の基礎的な代替において、拡張されたトロイダルタンクは、適切な設計の外側の、上方外殻及び下方外殻を一緒に接続することによって得られ、カプラの形態を有する中央部分は、内側ジャケット及び／又は接続された内側の外殻、及び／又は中央管から成る。
【００１１】
発明の第２の代替において、外側ジャケットは、外側の外殻、即ち、１つ以上の内側中心カプラに接続された上方外殻及び下方外殻、の間に溶接される。有利には、内側の外殻及び／又は内側ジャケット及び／又はタンクの中央管は、第２作業媒質のための緊密なチャンバの部分、及び／又は第２媒質の貯蔵のための圧力タンク又は容器を配置するための空間を形成する。
【００１２】
有利には、少なくとも１つの内側中心カプラは、外側の外殻である、上方外殻及び下方外殻の間に溶接される。
【００１３】
発明の他の代替において、少なくとも１つの中心カプラは、頂部及び底部においてカバーで緊密に塞がれ、これによって、第２媒質のための緊密なチャンバを形成する。
【００１４】
内側の外殻及び／又は内側ジャケットの中に設置される、１つ及び／又は２つの作業媒質のための付属品を備えたタンクの設備は、外側の上方外殻及び下方外殻、及び／又は外側ジャケットの表面によって画成される外形を制限しているタンクを超えない。
【００１５】
有利には、タンクの内側壁を形成する素子、即ち、カプラの内側ジャケット、及び／又は内側仕切り、及び／又は内側の外殻において、カップ形状の孔部が存在し、これによって、壁の厚さよりも大きな長さを有する経路を形成する。
【００１６】
有利には、中央管は、いくつかの一緒に固定された同軸管から成る。
【００１７】
中央の多層管は、２個からｎ個の継ぎ目のある又は継ぎ目のない同軸管を備え、そこでは、より小さな管の外径は、より大きな管の内径に近いが、大きな管の内部に小さな管を配置することを許容する公差があり、且つ、その後、それらの管は、円周の全体又は一部で、１つの端部又は両方の端部で固定される。
【００１８】
発明の別の代替において、タンク付属品筐体の形態は、タンク壁の湾曲に対応し、且つ筐体は、ねじ及びクリップを備えるタンク壁に接続され、且つシールを備えたカバーを有する。
【００１９】
有利には、仕切りは、異なる形状及びサイズの孔部を装備する、且つ／又は、可動仕切りは、異なる形状及びサイズの孔部を装備するか、又は装備しない。
【００２０】
仕切りの外側縁部は、仕切り全体の長さ又は一部の長さで、タンクの内側壁に接続され、その結果として、タンクの空間内に最小で２つのチャンバを得る。このように、流体相にある作業媒質の流れは、仕切りの間で、タンク底部から仕切りでの最も近い縁部まで、不可能となっている。発明による、タンクの他の代替において、タンクは最低水準を維持するためのシステムを装備し、このシステムは、調節器又は流量制御器を備えたタンクチャンバを接続する管又はホースの形態にある中間経路から成る。
【００２１】
発明による他の代替において、タンクはタンク付属品の迅速な分解のためのシステムを装備し、このシステムは、補助的チャンバから成り、このチャンバは、タンク取付けのための少なくとも１つのコネクタパイプ、タンクから補助的チャンバまでの作業媒質のための遮断弁、及び遮断弁のための制御器を含む。
【００２２】
発明による圧力タンクは、外殻の適切な設計、及び外殻を１つ以上のカプラ（中心管）に接続することのおかげで、異なる長さの側面（Ｚ、Ｙ及びＺ軸における）を有し、これによって、タンクのための空間を有効に使うことが、一層容易になる。作業媒質の貯蔵によって、車両及び他の二重燃料装置における使用が可能になるが、それらの装置では、今まで２つの分離されたタンクが必要であった。特別なタンク素子に対して厚さを適切に選択することによって（内側の外殻、同軸管の適切な設計、付属品用のコネクタパイプ、カップ形状の孔部、仕切りの設計）、同様な特殊タンク（楕円形、双対タンク、デュオ、トロイダル型）と比較して、より小さな圧力で到達するタンク破裂において、より大きな容積増加が提示される。
拡張されたトロイダルタンクの設計によって、破裂前のより大きな容積増加のおかげで、安全性が増加し（このことは、破裂の圧力に対する、破裂前の比例的な容積増加に関係するより大きな数値を意味する）、破裂圧力減少が見込まれ、且つ同様な外側寸法、容積、作業パラメータ及び作業割当てを備えるタンクに対して、材料使用の減少が見込まれる。
【００２３】
特別な素子の形状及び壁厚さ、拡張されたトロイダルタンク及び他の圧力タンクの提示された設計を適切に選択することによって、破裂圧力に対する、破裂前の比例的な容積増加に関係する数値を変化させることが見込まれる。このことは、特別なタンク割当てに対する要求、及び破裂前に要求される容積増加、及び／又はタンク中味の排出に依存して、画成される破裂圧力、破裂圧力の変化によって得られる容積増加を意味する。
【００２４】
圧力タンクで使用される、発明によるコネクタパイプの設計によって、破裂に近い特に高い圧力での、タンク構造体の弾性作用が見込まれ、金属シート及び今までのものと比べてより小さな厚さを備える材料の使用が見込まれる。このことは、経済的利益をもたらす。発明によるコネクタパイプのおかげで、コネクタパイプの現在の設計と比較して、破裂試験の間のより大きな容積増加が得られる。破裂試験でのより大きな容積増加によって、圧力タンクの型系列及び使用領域を拡大することが可能になる。
【００２５】
内側ジャケット及び／又は内側の外殻に位置する、タンクの特別な部分の間に壁を形成するタンク素子において、孔部を通って流れる作業媒質に対する断面の増加は、孔部がある場所での壁強度の増加と同様に、カップ形状の孔部のおかげで得られる。カップ形状の孔部は、閉じたタンクにおける圧力の結果である引張応力に対するタンク素子の強度を増加させるが、このことによって、壁厚さの減少が見込まれ、そこでは作業媒質が移動している。
【００２６】
同軸中心管の導入のおかげで、孔部の部分の厚さは縮小され、このことは、重量を減少させ、且つ強度を増加させる。迅速なタンク付属品分解のシステムでは、高い圧力で貯蔵された作業媒質を排出する必要、及び／又は圧力を減少させる必要がない。
【００２７】
発明によるタンクは、適切な付属品によって、必要性及び用途の種類に応じて、水平から垂直までの任意の平面内に設置され得る。
【図面の簡単な説明】
【００２８】
【図１】発明の主題を提示する拡張されたトロイダルタンクの断面を示す図である。
【図２】内側ジャケットを備える、代替としての拡張されたトロイダルタンクの断面である。
【図３】図１のＷ方向から見た図である。
【図４】Ａ〜Ｄはそれぞれ、代替設計に対するタンクの中心部分の断面である。
【図５】内側ジャケットにおいて多層管及びカップ形状の孔部を備えるタンクの中心部分を通る断面である。
【図６】仕切りを備えるタンクの断面である。
【図７】タンク付属品用のコネクタパイプ及び付属品具用筐体を備える、代替におけるタンクの側面図である。
【図８】図７のＺ方向から見た図である。
【図９】チャンバ間で作業媒質の設定最低水準を維持するためのシステムを備えるタンクの断面である。
【図１０】内側カプラにおける第２作業媒質（Ｂ）のためのチャンバを備えるタンクの断面である。
【図１１】Ａ〜Ｃはそれぞれ、コネクタパイプをタンクに取り付ける間の断面である。
【図１２】チャンバ間で要求される最低水準を維持するためのシステム。
【図１３】タンクの中身を排出することなく、且つ／又は、圧力を減少させることなく、タンク付属品を迅速に分解するためのシステム。
【発明を実施するための形態】
【００２９】
外側の上方外殻１は、外側の下方外殻２と共に、丸い角を備えた長方形断面を備える立体の形態で外側のタンク外殻を形成する。その一方で、内側ジャケット６Ａ、６Ｂは、内側の外殻４Ａ、４Ｂ、５Ａ、５Ｂと結合され、且つ／又は、外側の外殻１、２は、有利には中央管７Ａ、７Ｂ、７Ｎと結合され、これによってタンクの中心カプラＬ１、Ｌ２を形成し、且つ／又は、有利には仕切り１０によって分離される。タンク付属品のコネクタパイプ９は、パイプ壁の厚さが、タンク外殻の厚さの０．４から１．８までに等しいような方法で、タンク外殻に溶接される。
【００３０】
第２タンク代替において、外側の上方外殻１と下方外殻２との間で溶接された内側ジャケット３は、１つ以上の内側中心カプラと接続される。
【００３１】
内側の外殻（４Ａ、４Ｂ、５Ａ、５Ｂ）及び／又は内側ジャケット（６Ａ、６Ｂ）及び／又は中央管（７Ａ、７Ｂ、７Ｎ）は、第２作業媒質（Ｂ）のための緊密なチャンバの一部、及び／又は第２作業媒質（Ｂ）のための圧力タンク又は容器を格納するための空間を形成する。
【００３２】
外側の上方外殻（１）と下方外殻（２）との間で、少なくとも１つの中心カプラ（Ｌ１、Ｌ２）が溶接される。
【００３３】
次のタンク代替において、少なくとも１つの中心カプラＬ１、Ｌ２は、頂部で上方カバー５Ｃによって、且つ底部で下方カバー４Ｃによって塞がれ、これによって、第２作業媒質Ｂのための緊密なチャンバ（Ｄ１及び／又はＤ２及び／又はＤ３及び／又はＤ４）を形成する。
【００３４】
有利には、１つ及び／又は２つの作業媒質Ａのためのタンク付属品を備えるタンク設備は、内側の外殻（４Ａ、４Ｂ、５Ａ、５Ｂ）及び／又は内側ジャケット６Ａ、６Ｂ及び／又はカバー４Ｃ、５Ｃ上に設置され、外側タンク表面の外側限界において構成されるが、外側タンク表面は、外側の上方外殻１及び下方外殻２の表面及び／又は内側ジャケット３の表面によって画成される。
【００３５】
内側タンク壁を形成する素子、即ち、カプラＬ１及び／又はＬ２の内側ジャケット６Ａ及び／又は６Ｂ、及び／又は内側仕切り１０、及び／又は内側の外殻４Ａ、４Ｂにおいて、カップ形状の孔部８Ａ、８Ｂが存在し、これらは、壁厚さよりも大きな長さを備える経路を形成する。
【００３６】
中央管７Ｎは多層管であり、これは、いくつかの同軸的に互いに連結された管から成る。
【００３７】
タンクに固定されるタンク付属品筐体１１の壁の形態は、タンク外殻の湾曲に対応する。
【００３８】
シール１２Ａを有するカバー１２を装備するタンク付属品筐体１１は、ねじ及びクリップ１３によってタンク外殻に固定され、且つシール１１Ａで封止される。
【００３９】
仕切り１０は、有利には孔部１５Ａ及び１５Ｂを装備し、これらは、異なる形状及びサイズを有し、且つ／又は、孔部を備えていないか、又は異なる形状及びサイズの孔部を備える可動仕切り１６を有する。
【００４０】
他の代替において、タンクはチャンバにおける最低水準を維持するためのシステムを装備し、このシステムは、タンクチャンバを接続する管及び／又はホースである中間経路１４を含み、且つ／又は、設定器１４Ｂ及び／又は流量制御器１４Ａを備える。
【００４１】
次の代替において、タンクは、迅速にタンク付属品を分解するためのシステムを装備し、このシステムは、タンク付属品のための少なくとも１つのコネクタパイプを有する補助的チャンバ１７と、タンクから補助的チャンバ１７までの作業媒質のための遮断弁１９と、遮断弁１９のための制御器１８とを含む。
【図１】
2015518127.tif 000003
【図２】
2015518127.tif 000004
【図３】
2015518127.tif 000005
【図４】
2015518127.tif 000006
【図５】
2015518127.tif 000007
【図６】
2015518127.tif 000008
【図７】
2015518127.tif 000009
【図８】
2015518127.tif 000010
【図９】
2015518127.tif 000011
【図１０】
2015518127.tif 000012
【図１１】
2015518127.tif 000013
【図１２】
2015518127.tif 000014
【図１３】
2015518127.tif 000015
【国際調査報告】
2015518127.tif 000016
2015518127.tif 000017